(57)【特許請求の範囲】
【請求項１】
肩掛けベルトと腿ベルトからなるハーネス本体に、
先端に接続部材を設けたランヤード部を結合する方法において、
肩掛けベルトの交差重合部には基台を配置し、
ランヤードの基端部には取付リングを配置して、
基台と取付リングの対応する連結孔を軸で締結してなる結合リングによって、
ハーネス本体とランヤード部を連結するハーネス型安全帯の製造方法。
【請求項２】
前記基台は、ハーネス本体の肩掛けベルトの交差重合部の幅の開口したベルト受け部を設け、両端に連結孔を備えており、
前記取付リングは、ランヤードの輪状基端部を挿通できる略円弧状で、両端に連結孔を備えており、
基台と取付リングの連結孔を対応させて軸で締結してなる結合リングによって、
ハーネス本体とランヤード部を連結する請求項１に記載のハーネス型安全帯の製造方法。
【請求項３】
前記基台は、ハーネス本体の肩掛けベルトの交差重合部の幅の開口したベルト受け部を設け、両端に連結孔を備えており、
前記取付リングは、ランヤードの輪状基端部が接続可能な単数又は複数の閉鎖孔を設け、両端に連結孔を備えており、
基台と取付リングの対応する連結孔を軸で締結してなる結合リングによって、
ハーネス本体とランヤード部を連結する請求項１に記載のハーネス型安全帯の製造方法。
【請求項４】
前記基台は、ハーネス本体の肩掛けベルトの重合部が挿通可能な閉鎖孔を設け、両端に連結孔を備えており、
前記取付リングは、ランヤードの輪状基端部を挿通できる略円弧状で、両端に連結孔を備えており、
基台と取付リングの対応する連結孔を軸で締結してなる結合リングによって、
ハーネス本体とランヤード部を連結する請求項１に記載のハーネス型安全帯の製造方法。
【請求項５】
前記基台は、ハーネス本体の肩掛けベルトの重合部が挿通可能な閉鎖孔を設け、両端に連結孔を備えており、
前記取付リングは、ランヤードの輪状基端部が接続可能な単数又は複数の閉鎖孔を設け、両端に連結孔を備えており、
基台と取付リングの対応する連結孔を軸で締結してなる結合リングによって、
ハーネス本体とランヤード部を連結する請求項１に記載のハーネス型安全帯の製造方法。
【発明の詳細な説明】
【技術分野】
【０００１】
本願は、高所で作業する際に使用するハーネス型安全帯の組立方法に関するものである。
【背景技術】
【０００２】
高所での作業現場において、作業者は落下事故を防止するために安全帯を使用している。この安全帯は、胴ベルト型とハーネス型に大別されるが、肩掛けベルト、腿ベルトより構成されるハーネス型安全帯は、胴ベルト型安全帯に比べ、墜落阻止時における落下衝撃荷重が分散され、身体に与える損傷を低減させることができている。また、ハーネス型安全帯を装着した作業者は、落下阻止時に救助されるまでの間を、安定した姿勢で待つことができる。
このような理由から、現在は国内でもハーネス型安全帯が多く使用されるようになってきている。
【０００３】
ベルト等の先端に部材係止用フックなどを含む接続機材を設けたランヤードは、肩掛けベルトの背中の交差重合部の接続リングに取り付けることで、落下阻止時にその性能が発揮できる。よって、ユーザは、胴ベルト型に比べてハーネス型の方が落下防止性能において優れていると理解しつつあるが、高所作業形態もそれぞれ異なり、作業形態に応じたハーネス型安全帯を要求されている。しかし、その多くは、ハーネス本体は同じであるが、ランヤード部が異なるものが要求されるのであった。
【０００４】
このランヤード部の種類としては、ランヤードがベルト、衝撃吸収装置付きロープ、細幅織ベルト巻取り式、等のランヤード１本式（図７）、衝撃吸収装置にロープが２本ついたランヤード２本式（図８）がある。又、２本ともベルト式、２本とも細幅織ベルト巻取り式、延長ベルトと細幅織ベルト巻取り式の組合せタイプ、連結ベルトと衝撃吸収装置付きロープの組合せタイプ等のランヤード２本式がある。
【０００５】
どの仕様においても、ハーネス型安全帯は、ハーネス本体とランヤード部が接続リングにより、連結された構造である。
このようなハーネス型安全帯は、「（１）ランヤード若しくは、延長ベルトを接続リングに縫製する」、「（２）ランヤード若しくは、延長ベルトを取付けた接続リングをハーネス本体の背中の交差重合部に挿通する」、「（３）ハーネス本体の肩部から胸部に至る箇所、複数の腿ベルトにバックル等の必要な部品を取付けて順次縫製する」という一連の作業工程でないと製造できない。
【０００６】
最初にベルト先端部に連結式バックル本体やバックル挿入片を縫製すると、接続リング及び、接続リングの位置決めをするための位置ずれ防止用のリング止め（以下、つばかわという）のベルト挿入孔を通過することができないので、最初に、肩掛けベルトの背中の交差重合部を作る必要がある。
【先行技術文献】
【特許文献】
【０００７】
【特許文献１】実用新案登録第３１０６５０８号
【発明の概要】
【発明が解決しようとする課題】
【０００８】
本発明が解決しようとする主な問題点は、ランヤード部（ランヤード若しくは、延長ベルト）を組みつけてからでないと、ハーネス本体の縫製加工ができないという製造方法の為、注文を受けると、要求されたランヤード部を組みつける工程から作業を開始するので、どうしても製造期間が長くなることである。
又、ハーネス本体は、ランヤード部を組みつけた状態で縫製加工しなければならないので、スムーズに行えず、非常に効率が悪い。
【０００９】
この事態を避けるために、本出願人は、実用新案登録第３１０６５０８号に示す、ランヤード部とハーネス本体を別々の工程で製作し、最終工程で組み合わせができるような開口型の連結リングを考案した。
このリングは、図１０に示すように一本の丸棒の両端に平坦部４１を設けて穿孔し、両方の孔４２が一致するように曲げたリング状の構造で、重合された平坦部間に隙間があり、平坦部間を鋲着することで閉鎖状態となる開口型の連結リング４である。
【００１０】
この開口型の連結リング４は、重合された平坦部間の隙間からランヤードの基端部を挿通し、平坦部を圧接して隙間をなくし、鋲着することで、閉鎖状態のリングとなる。当該リングは、図１１に示すように圧着時に重合された平坦部の連結孔が合致しないとリベット４３が挿入できないので、曲げ加工時の微妙な寸法精度が要求され、開口型の取付リング４を使用して、ハーネス本体とランヤード部を連結する考案は、実用化にまで至らなかった。
従って、ハーネス本体１とランヤード部２を精度よく連結でき、効率的にハーネス型安全帯が製造できる方法が必要となった。
【課題を解決するための手段】
【００１１】
ハーネス本体とランヤード部を別々に製作し、最終工程で連結してハーネス型安全帯を完成させるために、本願では、リングを基台と取付リングに２分割し、ハーネス本体に基台を装備し、ランヤード基端に取付リングを配置する構造とする。
【００１２】
図３に示す、結合リング６の基台６１０は、ハーネス本体１の肩掛けベルトの交差重合部が挿通できる幅と高さと有するベルト受け部６１１と、ベルト受け部６１１の両端に連結孔６３を備えた略コ字形状とし、取付リング６５０は、ランヤードの輪状基端が挿通できる略円弧状とし、その両端に連結孔６７を備えている。
【００１３】
基台６１０は、ハーネス本体１の交差重合部とつばかわ５の間に挿通した状態で、ハーネス本体１を縫製する。ランヤード部２は、ランヤード２１の輪状基端部に、取付リング６５０を挿通した状態で、製造する。
このように、結合リング６は、ハーネス本体１に取り付けた基台６１０と、ランヤード部２に取り付けた取付リング６５０に分割しているので、ハーネス本体１とランヤード部２は、別々に製作することができる。
【００１４】
又、基台６１０の連結孔６３と、取付リング６５０の連結孔６７は、同一の孔あけ金型を使用して孔をあけるので、両連結孔間の寸法は精度が確保でき、基台６１０と取付リング６５０が簡単、且つ確実に軸で締結できる構造である。
このように、基台６１０のベルト受け部６１１と、取付リング６５０のランヤード取付部６５１は開口型であり、これを基本構造とする。
【００１５】
しかしながら、基台のベルト受け部は、ハーネス本体の肩掛けベルトの背中の交差重合部が挿通できる幅と高さと有する閉鎖孔でもよく、取付リングのランヤード取付部は、ランヤードの輪状基端部を挿通することができる大きさの閉鎖孔でもよい。又、取付リングの閉鎖孔は、２本式ランヤード用として、ランヤード取付孔を複数設けることも同種の設計変更である。
【００１６】
基台と取付リングから構成される結合リング６の組合せは、上記で説明した「（１）  基台のベルト受け部が開口型、取付リングのハーネス取付け部が開口型」以外に、「（２）  基台のベルト受け部が開口型、取付リングのハーネス取付け部が閉鎖孔（図４）」、「（３）  基台のベルト受け部が閉鎖孔、取付リングのハーネス取付け部が開口型（図５）」、「（４）  基台のベルト取付部が閉鎖孔、取付リングのハーネス取付け部が閉鎖孔（図６）」の構成が考えられる。
【発明の効果】
【００１７】
この結合リング６を使用すると、ハーネス型安全帯は、基台６１０を装着したハーネス本体１と、取付リング６５０を装着したランヤード部２の組合せと考えることができ、ハーネス本体１とランヤード部２は、別々に製作が可能となる。
その結果、ユーザの要望による特殊なランヤード部の場合でも、ランヤード部のみを製作して、共通するハーネス本体に組み合わせることが可能となり、製造期間が大幅に短縮となる。
【００１８】
又、従来では、ハーネス本体１は、ランヤード部２を取りつけた状態で縫製作業をするので、長尺のランヤード部２がかさばり、非常に作業がし難く、作業効率が悪かった。しかし、本願の組立方法では、ハーネス本体１は、結合リング６の基台６１０を取付けただけの状態で縫製作業ができるので、基台６１０がかさばることもなく、ハーネス本体を縫製することができ、作業効率が大幅によくなるものである。
【図面の簡単な説明】
【００１９】
【図１】ハーネス型安全帯の正面図
【図２】結合リングを用いてハーネス本体とランヤード部を取付けた状態の拡大した正面図と側面図
【図３】基台が開口型、取付リングが開口型の結合リングの正面図
【図４】基台が開口型、取付リングが閉鎖型の結合リングの正面図
【図５】基台が閉鎖型、取付リングが開口型の結合リングの正面図
【図６】基台が閉鎖型、取付リングが閉鎖型の結合リングの正面図
【図７】ランヤード１本式の種類を記載した説明図
【図８】ランヤード２本式の説明図
【図９】ランヤード２本式の種類を記載した説明図
【図１０】開口型の連結リングの正面図
【図１１】開口型の連結リングの側面図
【発明を実施するための形態】
【００２０】
図１はハーネス型安全帯の全体図面、図２はハーネス本体とランヤード部を連結している状態を表す拡大図面である。ハーネス本体１は、一対の所定ベルトをつばかわ５のベルト挿入孔５１に挿通して略Ｘ字形状に保持して肩掛けベルト１１と複数の腿ベルト１２を形成し、肩掛けベルト１１の先端部分に連結式バックル本体１３、腿ベルト１２の先端にバックル挿入片１４、等必要な部品を取付けている。
ランヤード部２は、ベルト等の先端に部材係止用フック２２を取付けている。
このハーネス本体１とランヤード部２を、基台６１０と取付リング６５０の二つの部位に分割した結合リング６で結合することにより、ハーネス型安全帯が製造できる具体的な工程について説明する。以下の実施例は、すべて、ハーネス本体とランヤード部を別々に製作し、本発明の結合リングを使用することにより、完成するハーネス型安全帯の製造方法である。
【実施例１】
【００２１】
実施例１に使用する結合リング６の形状を図３に示す。結合リング６の基台６１０は、ベルト受け部６１１の幅が略Ｘ字状に重合するベルトの横方向の長さ、高さが重合するベルトの厚みが確保できる大きさとし、ベルト受け部６１１の両端に連結孔６３を備えた略コ字形状の開口型である。
又、取付リング６５０は、ランヤードの輪状基端部が挿通できる略円弧状とし、その両端に連結孔６７を備えている。
【００２２】
基台６１０の両端の連結孔６３と、取付リング６５０の両端の連結孔６７は、各々の連結孔が合致するように、同一の孔あけ金型を使用して孔をあける。
又、基台６１０と取付リング６５０を軸で締結した結合リング６の強度は、安全帯の規格で１１．５ｋＮで破断しないことと定められており、その強度を保有している。
【００２３】
図１及び図２に示すように、ハーネス本体１は、一対の所定長ベルトに基台６１０を通し、つばかわ５を用いて交差重合してベルトを略Ｘ字形状に保持し、ベルトの先端に連結式バックル本体１３やバックル挿入片１４などの必要な部品を取付け、肩掛けベルト１１や腿ベルト１２を順次縫製し、完成させる。
ベルト等の先端に部材係止用フック２２を設けたランヤード２１において、取付リング６５０がランヤード基端の輪状のアイ部に位置するように縫製加工して、ランヤード部２を完成させる。
【００２４】
ランヤードは、その構成により、ランヤード１本式（図７）とランヤード２本式（図８、図９）がある。
ランヤード１本式の場合、ランヤードは、ベルト式ランヤード２１（図７（ａ））、衝撃吸収装置２４を設けたロープ式ランヤード２３（図７（ｂ））、細幅織ベルト巻取り式ランヤード２５（図７（ｃ））の種類がある。
ランヤード２本式の場合は、同じ種類ランヤードを２本取り付けるか、若しくは、２本を組み合わせることにより、構成する。図８のランヤード２本式は、ロープ式ランヤード２３を２本取り付けたものである。図９のランヤード２本式は、ベルト式ランヤード２１を２本取り付けたもの（ａ）、細幅織ベルト巻取り式ランヤード２５を２本取り付けたもの（ｂ）、ベルト式ランヤード２１と延長ベルト２６を組み合わせたもの（ｃ）、ロープ式ランヤード２３と延長ベルト２６を組み合わせたもの（ｄ）、細幅織ベルト巻取り式ランヤード２５と延長ベルト２６を組み合わせたもの（ｅ）がある。
上記のランヤードはその一例であり、ユーザの要求により別の形態となることがある。
【００２５】
図２に示すように、ハーネス型安全帯は、ハーネス本体１に装着した基台６１０の連結孔６３と、ランヤード部２を装着した取付リング６５０の連結孔６７を合致させ、リベット４３を挿通しその一端を加締めて、軸で締結した状態とすることによって完成する。ここでは、両者を締結する軸としてリベットを採用したが、ボルトとナットによる締結や軸と抜け止めピンによる締結に替えることも、同等の効果を有するものである。これは、以下に述べる実施例２，実施例３及び実施例４においても同じことである。
尚、ランヤードは、ベルト仕様として例示しているが、ロープ仕様でもよい。
【実施例２】
【００２６】
実施例２に使用する結合リングの形状を図４に示す。図４（ａ）に示す結合リングの基台６１０は、実施例１と同じである。
取付リング６６０は、ランヤードの基端部を挿通して輪状に縫製できる大きさのランヤード挿通孔６６１を設けており、実施例１の取付リング６５０とは、ランヤードを取付ける箇所の形状が違っている。又、図４（ｂ）の取付リングは、ランヤード２本式用として使用する目的で、ランヤード挿通孔６６１を複数設けた構造である。
【００２７】
基台６１０の連結孔６３と、取付リング６６０の連結孔６７は、実施例１と同様、連結孔どうしが合致する寸法である。又、基台６１０と取付リング６６０を結合した結合リング６の強度も、実施例１と同様である。
従って、実施例２においても実施例１と同様、基台６１０をベルト重合交差部に組み込んだハーネス本体１と、ランヤード基端を取付リング６６０のランヤード挿通孔６６１に挿通して縫製加工したランヤード部２において、基台６１０の連結孔６３と、取付リング６６０の連結孔６７を合致させて、軸で締結することで、ハーネス本体１とランヤード部２が組み合わされて、ハーネス型安全帯は完成する。
【実施例３】
【００２８】
実施例３に使用する結合リングの形状を図５に示す。図５に記載の結合リングの基台６２０において、ベルト挿通孔６２１の幅をベルトが略Ｘ字状に重合する横方向の長さ、高さが重合するベルトの厚みが確保できる大きさの閉鎖孔とし、その両端に連結孔６３を備えたものとする。
取付リング６５０は、実施例１と同じである。
基台６２０の連結孔６３と、取付リング６５０の連結孔６７は、実施例１と同様、連結孔どうしが合致する寸法である。又、基台６２０と取付リング６５０を結合した結合リング６の強度も、実施例１と同様の強度を保有している。
【００２９】
従って、実施例３においても実施例１と同様、基台６２０をベルト重合交差部に組み込んだハーネス本体１と、取付リング６５０がランヤードの基端の輪状のアイ部に位置するように縫製加工したランヤード部２において、基台６２０の連結孔６３と、取付リング６５０の連結孔６７を合致させて、軸で締結することで、ハーネス本体１とランヤード部２が組み合わされて、ハーネス型安全帯は完成する。
【実施例４】
【００３０】
実施例４に使用する結合リングの形状を図６に示す。図６に示す結合リングの基台６２０は、実施例３と同じである。
取付リング６６０は、実施例２と同じである。
基台６２０の連結孔６３と、取付リング６６０の連結孔６７は、実施例１と同様、連結孔どうしが合致する寸法である。又、基台６２０と取付リング６６０を結合した結合リング６の強度も、実施例１と同様の強度を保有している。
【００３１】
従って、実施例４においても実施例１と同様、基台６２０をベルト重合交差部に組み込んだハーネス本体１と、ランヤード基端を取付リング６６０のランヤード挿通孔６６１に挿通したランヤード部２において、基台６２０の連結孔６３と、取付リング６６０の連結孔６７を合致させて、軸で締結することで、ハーネス本体１とランヤード部２が組み合わされて、ハーネス型安全帯は完成する。
【符号の説明】
【００３２】
１  ハーネス本体
１１  肩掛けベルト
１２  腿ベルト
１３  連結式バックル本体
１４  バックル挿入片
２  ランヤード部
２１  ベルト式ランヤード
２２  フック
２３  ロープ式ランヤード
２４  衝撃吸収装置
２５  細幅織ベルト巻取り式ランヤード
２６  延長ベルト
４  開口型の連結リング
４１  平坦部
４２  孔
４３  リベット
５  つばかわ
５１  つばかわのベルト挿入孔
６  結合リング
６１０  ベルト受け部が開口型の基台
６１１  ベルト受け部
６２０  ベルト挿通孔が閉鎖型の基台
６２１  ベルト挿通孔
６３  基台の連結孔
６５０  ランヤード取付部が開口型の取付リング
６５１  ランヤード取付部
６６０  ランヤード挿通孔が閉鎖型の取付リング
６６１  ランヤード挿通孔
６７  取付リングの連結孔
【図１】
0005714389.tif 000002
【図２】
0005714389.tif 000003
【図３】
0005714389.tif 000004
【図４】
0005714389.tif 000005
【図５】
0005714389.tif 000006
【図６】
0005714389.tif 000007
【図７】
0005714389.tif 000008
【図８】
0005714389.tif 000009
【図９】
0005714389.tif 000010
【図１０】
0005714389.tif 000011
【図１１】
0005714389.tif 000012